【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
用紙のスタックを入れる容器であって、第1および第2のピボット運動可能なシェル部を規定する底壁を含み、第1および第2のシェル部が、出荷または保存のために用紙のスタックを入れる密閉位置と、用紙を容器から取り出すのを容易にするためにスタックの少なくとも2つの互いに向かい合う側面を露出させる開放位置との間をピボット運動可能である容器。
【請求項２】
シェル部が密閉位置である場合に、該シェル部が用紙のスタックを完全に密閉するように構成される、請求項1記載の容器。
【請求項３】
各側面パネルが、容器が密閉された場合に底壁のそれぞれの縁部から上向きに、底部に対して実質的に垂直の関係に延びる、互いに向かい合う第1および第2の側面パネルをさらに含む、請求項1記載の容器。
【請求項４】
第1および第2の側面パネルが、用紙を容器から取り出すのを容易にするように下向きに互いに離れる方向にピボット運動できるように底壁に対してピボット運動する、請求項3記載の容器。
【請求項５】
第1および第2の側面パネルが、容器の高さに実質的に等しい高さを有する、請求項3記載の容器。
【請求項６】
第1および第2のシェル部が密閉位置にある場合に、該第1および第2のシェル部が容器の側面および頂部を形成する、請求項1記載の容器。
【請求項７】
第1のシェル部が、底縁部の所で底壁の第1の縁部にピボット運動可能に連結されたメイン・パネルと、メイン・パネルの頂縁部から延びる頂部パネルと、各々がメイン・パネルのそれぞれの縁部から延びる、間隔を置いて配置された第1および第2の側面パネルとを含み、
第2のシェル部が、底縁部の所で底壁の第2の縁部にピボット運動可能に連結されたメイン・パネルと、メイン・パネルの頂縁部から延びる頂部パネルと、各々がメイン・パネルのそれぞれの縁部から延びる、間隔を置いて配置された第1および第2の側面パネルとを含み、
シェル部が密閉位置である場合に、第1のシェル部の側面パネルが、第2のシェル部の隣接する側面パネルと重なり合う関係に延びる、請求項1記載の容器。
【請求項８】
シェル部が、第1のシェル部の各側面パネルと第2のシェル部の隣接し重なり合う側面パネルとの間に塗布された接着剤によって密閉位置に保持される、請求項7記載の容器。
【請求項９】
シェル部が密閉位置である場合に、容器の持ち上げおよび／または運搬を容易にするように第1および第2のシェル部の1つに結合されたハンドルをさらに含む、請求項1記載の容器。
【請求項１０】
シェル部が密閉位置である場合に、ハンドルが容器の頂部の幾何学的中心に配置される、請求項9記載の容器。
【請求項１１】
ハンドルが一方のシェル部の頂部パネルに結合され、かつシェル部が密閉位置である場合に、他方のシェル部の頂部パネルの対応する開口部を通って延びるように位置される、請求項9記載の容器。
【請求項１２】
ハンドルが可撓性のストラップを含む、請求項9記載の容器。
【請求項１３】
第1のシェル部が、底縁部の所で底壁の第1の縁部にピボット運動可能に連結されたメイン・パネルと、メイン・パネルの頂縁部から延びる頂部パネルとを含み、
第2のシェル部が、底縁部の所で底壁の第2の縁部にピボット運動可能に連結されたメイン・パネルと、メイン・パネルの頂縁部から延びる頂部パネルとを含み、
第1のシェル部の頂部パネルおよび第2のシェル部の頂部パネルが、シェル部が密閉位置である場合に、互いに重なり合う関係に延びて容器の頂部を形成する、請求項1記載の容器。
【請求項１４】
底壁、第1のシェル部、および第2のシェル部が、単体の材料ブランクで形成される、請求項1記載の容器。
【請求項１５】
容器が段ボールで製造される、請求項1記載の容器。
【請求項１６】
容器が、少なくとも36#外側ライナー、26#フルーティング、および35#内側ライナーを含む、請求項15記載の容器。
【請求項１７】
段ボールが、約38℃および相対湿度約75％で吸湿値が15g/日未満である、請求項15記載の容器。
【請求項１８】
底壁と、
底壁の両縁部にピボット運動可能に連結され、密閉位置と開放位置との間をピボット運動する第1および第2のシェル部であって、シェル部が密閉位置である場合に、物品を実質的に密閉し、開放位置である場合に物品を容器から取り出すのを容易にするように物品を容器の少なくとも2つの互いに向かい合う側面の所で露出させる、第1および第2のシェル部と、
容器に結合されたハンドルと
を含む、1つまたは複数の物品を入れる容器。
【請求項１９】
ハンドルが第1のシェル部に結合され、かつ第2のシェル部が、シェル部が密閉位置である場合に、ハンドルが通って延びることのできる開口部を有するように形成される、請求項18記載の容器。
【請求項２０】
シェル部が密閉位置である場合に、各シェル部が互いに重なり合う関係に延びて物品の頂部を覆うように構成されるそれぞれの頂部パネルを有する、請求項18記載の容器。
【請求項２１】
各シェル部が、シェル部が密閉位置までピボット運動した場合に、第1のシェル部の各側面パネルが第2のシェル部の隣接する側面パネルと重なり合う関係に延びるように構成されるそれぞれの第1および第2の側面パネルを有する、請求項18記載の容器。
【請求項２２】
底壁のそれぞれの縁部から延びる第1および第2の側壁をさらに含み、シェル部が密閉位置にある場合に、各側壁をシェル部内に位置させることができる、、請求項18記載の容器。
【請求項２３】
第1および第2の側壁が、シェル部が開放位置にある場合に互いに離れる方向にピボット運動して、物品を容器のすべての側面の所で露出させることができるように、底壁のそれぞれの縁部にヒンジによって連結される、請求項22記載の容器。
【請求項２４】
各シェル部が、第1および第2の側面パネルとそれぞれの頂部パネルとを有し、シェル部が密閉位置までピボット運動した場合に、第1のシェル部の各側面パネルが第2のシェル部の隣接する側面パネルと重なり合う関係に延び、頂部パネルが互い重なり合う関係に延びるように構成される、請求項18記載の容器。
【請求項２５】
少なくとも1つの用紙スタックを保持するように構成される、請求項18記載の容器。
【請求項２６】
底部と、
底部のそれぞれの縁部から上向きに延び、第1の側壁が第2の側壁と向かい合う第1および第2の側壁と、
底部のそれぞれの縁部にピボット運動可能に連結され、物品を出荷または保存のためにシェル部の間に物品を入れる密閉位置まで互いにピボット運動可能であり、さらに、容器を該容器の2つの互いに向かい合う側面の所で開放させ物品を容器から取り出すのを容易にするように互いに離れる方向へピボット運動可能である、第1および第2のシェル部と
を含む、1つまたは複数の物品を入れる容器。
【請求項２７】
シェル部が密閉位置までピボット運動した場合に、該シェル部が側壁を実質的に密閉するように構成される、請求項26記載の容器。
【請求項２８】
シェル部が密閉位置である場合に、各シェル部が互いに重なり合う関係に延びるように構成されるそれぞれの頂部パネルを有する、請求項26記載の容器。
【請求項２９】
容器を運搬するためのハンドルが一方の頂部パネルに結合され、かつシェル部が密閉位置である場合に、他方の頂部パネルの対応する開口部を通って延びるように位置される、請求項28記載の容器。
【請求項３０】
各シェル部が、それぞれのメイン・パネルと、シェル部が密閉位置までピボット運動した場合に、第1のシェル部の各側面パネルが第2のシェル部の隣接する側面パネルおよび隣接する側壁と重なり合う関係に延びるようにメイン・パネルから延びるそれぞれの第1および第2の側面パネルとを有する、請求項26記載の容器。
【請求項３１】
第1および第2のシェル部の側面パネルが、該シェル部が密閉位置までピボット運動した場合に、本質的に側壁の全範囲にわたって延びる、請求項30記載の容器。
【請求項３２】
シェル部が密閉位置までピボット運動した場合に、容器の2つの互いに向かい合う壁および頂壁を形成する、請求項26記載の容器。
【請求項３３】
底部が、少なくとも1つの用紙スタックを支持するような寸法を有する、請求項26記載の容器。
【請求項３４】
容器が、少なくとも36#外側ライナー、26#フルーティング、および35#内側ライナーを含む、請求項26記載の容器。
【請求項３５】
段ボールが、約38℃および相対湿度約75％で吸湿値が15g/日未満である、請求項34記載の容器。
【請求項３６】
物品を支持する底部と、
底部のそれぞれの縁部から延びる第1および第2の直立し互いに向かい合う側壁と、
底部のそれぞれの縁部にピボット運動可能に連結されたメイン・パネル、メイン・パネルから延びる頂部パネル、ならびにメイン・パネルから実質的に垂直に延びる第1および第2の側面パネルを有する第1のシェル部と、
底部のそれぞれの縁部にピボット運動可能に連結されたメイン・パネル、メイン・パネルから延びる頂部パネル、ならびにメイン・パネルから実質的に垂直に延びる第1および第2の側面パネルを有する第2のシェル部と
を含む、1つまたは複数の物品を入れる容器であって、
該シェル部が、物品がメイン・パネルの間に入れられる密閉位置まで互いに向かってピボット運動可能であり、頂部パネルが、互いに重なり合う関係に延びて物品の頂部を覆い、第1のシェル部の各側面パネルが、第2のシェル部の隣接する側面パネルおよび隣接する直立する側壁と少なくとも部分的に重なり合い、シェル部がさらに、容器を該容器の頂部および2つの互いに向かい合う側面の所で開放させ物品を容器から取り出すのを容易にするように互いに離れる方向へピボット運動可能である容器。
【請求項３７】
一方の頂部パネルに結合され、かつシェル部が密閉位置である場合に、容器の頂部の概ね幾何学的中心に配置されるハンドルをさらに含む、請求項36記載の容器。
【請求項３８】
用紙のスタックを支持するような寸法を有する底部パネルと、
底部パネルの縁部から延びる第1のシェル部と、
第1のシェル部と向かい合う底部パネルの縁部から延びる第2のシェル部と
とを含む、用紙を入れるための容器を形成するためのブランクであって、
該シェル部が、容器がブランクで形成される場合に、用紙スタックを出荷または保存のために入れるための密閉位置と、用紙を容器から取り出すのを容易にするようにスタックの少なくとも2つの互いに向かい合う側面を露出させる開放位置との間を底部パネルに対してピボット運動可能であるように構成されるブランク。
【請求項３９】
単体の材料部材を含む、請求項38記載のブランク。
【請求項４０】
第1のシェル部が、底部パネルから延びて容器の第1の側壁を形成するメイン・パネルと、メイン・パネルから延びて容器の頂部の少なくとも一部を形成する頂部パネルとを規定し、
第2のシェル部が、底部パネルから延びて容器の第2の側壁を形成するメイン・パネルと、メイン・パネルから延びて容器の頂部の少なくとも一部を形成する頂部パネルとを規定し、
該シェル部が、容器がブランクで形成されかつシェル部が密閉位置である場合に、頂部パネルが、互いに重なり合う関係に延びて容器の頂部を形成するように構成される、請求項38記載のブランク。
【請求項４１】
第1のシェル部が、各々が関連するメイン・パネルのそれぞれの側縁部から延びる、間隔を置いて配置された第1および第2の側面パネルを規定し、
第2のシェル部が、各々が関連するメイン・パネルのそれぞれの側縁部から延びる、間隔を置いて配置された第1および第2の側面パネルを規定し、
該シェル部が、容器がブランクで形成されかつシェル部が密閉位置である場合に、第1のシェル部の側面パネルが、第2のシェル部の隣接する側面パネルに対して重なり合う関係に延びて容器の両側面を形成するように構成される、請求項40記載のブランク。
【請求項４２】
ハンドルが一方の頂部パネルに結合される、請求項40記載のブランク。
【請求項４３】
ハンドルが、一方のシェル部の頂部パネルに結合され、かつシェル部が密閉位置である場合に、他方のシェル部の頂部パネルの対応する開口部を通って延びるように位置される、請求項40記載のブランク。
【請求項４４】
各々が底部パネルのそれぞれの縁部から延びる第1および第2の側面パネルをさらに含み、容器がブランクで形成される場合に、各側面パネルが、シェル部の間を延びる容器の側壁として働く、請求項38記載のブランク。
【請求項４５】
底部パネルと、
底部パネルのそれぞれの縁部から延び、第1の側壁が第2の側壁と向かい合い、各側壁が底部パネルに対して折畳み可能である、第1および第2の側壁と、
底部パネルのそれぞれの縁部から延び、第1のシェル部が第2のシェル部と向かい合う、第1および第2のシェル部と
を含む、1つまたは複数の物品を入れる容器を形成するブランクであって、
容器がブランクで形成される場合に、シェル部が、物品を出荷または保存のためにシェル部の間に物品を入れるための密閉位置まで互いに向かって底部に対してピボット運動可能であり、さらに、容器を該容器の2つの互いに向かい合う側面の所で開放させ物品を容器から取り出すのを容易にするように互いに離れる方向へピボット運動可能であるブランク。
【請求項４６】
側壁が、容器の高さに実質的に等しい高さを有する、請求項45記載のブランク。
【請求項４７】
底部パネルを形成する段階と、
底部パネルのそれぞれの縁部から延び、第1の側壁が、第2の側壁と向かい合う第1および第2の側壁を形成する段階と、
底部パネルのそれぞれの縁部から延び、第1のシェル部が第2のシェル部と向かい合う、第1および第2のシェル部を形成する段階と
を含む、容器を形成する方法であって、
該シェル部が、容器がブランクで形成される場合に、物品をシェル部に入れる密閉位置と、物品に対して互いに向かい合う側面の所でアクセス可能にし、かつスタックの2つの互いに向かい合う側面を露出させ用紙を容器から取り出すのを容易にする開放位置との間を底部パネルに対してピボット運動可能であるように構成される方法。
【請求項４８】
第1のシェル部が、底部パネルから延びて容器の第1の側壁を形成するメイン・パネルと、メイン・パネルから延びて容器の頂部の少なくとも一部を形成する頂部パネルと、各々がメイン・パネルのそれぞれの側縁部から延びる、間隔を置いて配置された第1および第2の側面パネルとを規定し、
第2のシェル部が、底部パネルから延びて容器の第2の側壁を形成するメイン・パネルと、メイン・パネルから延びて容器の頂部の少なくとも一部を形成する頂部パネルと、各々がメイン・パネルのそれぞれの側縁部から延びる、間隔を置いて配置された第1および第2の側面パネルとを規定する、請求項47記載の方法。
【請求項４９】
各シェル部の頂部パネルおよび側面パネルが、関連するメイン・パネルから実質的に垂直に延びるように、第1および第2のシェル部を組み立てる段階をさらに含む、請求項48記載の方法。
【請求項５０】
ベース；
ベースから離れる方向に延びる第1のメイン・パネルと、第1のメイン・パネルの頂縁部から延び、かつハンドルを有する第1の頂部パネルと、各側面フラップが、第1のメイン・パネルのそれぞれの側縁部から延び、かつ第1のメイン・パネルおよび第1の頂部パネルに剛性に連結される第1および第2の側面フラップとを有する第1のシェル部であって、底縁部の所でベースに連結され、かつ第1のシェル部が密閉位置である場合に、第1のメイン・パネルがスタックの一方の側面に隣接し、この側面を覆い、第1の頂部パネルがスタックの頂部の少なくとも一部に隣接し、この部分を覆い、第1および第2の側面フラップの各々がスタックの両端部の少なくとも一部に隣接し、この部分を覆うように、密閉位置と開放位置との間をピボット運動可能である第1のシェル部；
第1のシェル部と向かい合い、かつベースから離れる方向に延びる第2のメイン・パネルと、第2のメイン・パネルの頂縁部から延び、かつ開口部を規定する第2の頂部パネルと、各側面フラップが、第2のメイン・パネルのそれぞれの側縁部から延び、かつ第2のメイン・パネルおよび第2の頂部パネルに剛性に連結される第3および第4の側面フラップとを有する第2のシェル部であって、底縁部の所でベースに連結され、かつ第2のシェル部が密閉位置である場合に、第2のメイン・パネルがスタックの一方の側面に隣接し、この側面を覆い、第2の頂部パネルが第1の頂部パネルと重なり合い、ハンドルが開口部を通って延び、第3の側面フラップが、第1の側面フラップと重なり合う関係に延び、第4の側面フラップが、第2の側面フラップと重なり合う関係に延びるように、密閉位置と開放位置との間をピボット運動可能である第2のシェル部；
ベースから上向きに延びる第1および第2の側壁であって、第1の側壁が第2の側壁と向かい合い、シェル部が密閉位置である場合に、第1および第2の側壁が第1および第2のシェル部内に配置され、第1の側壁がスタックと第1および第3の側面フラップとの間に挿入され、第2の側壁がスタックと第2および第4の側面フラップとの間に挿入され、第1および第2の側壁が、シェル部が開放位置である場合に、下向きにスタックから離れる方向へピボット運動できるようにベースにピボット運動可能に連結される、第1および第2の側壁を含む、
用紙のスタックを入れる容器であって、
該シェル部が開放位置であり、かつ第1および第2の側面パネルが下向きにスタックから離れる方向へ折り畳まれた場合に、用紙を容器から取り出すのを容易にするようにスタックのすべての4つの側面にアクセス可能な容器。